(57)【要約】【課題】  レーザ溶着装置を用いることなく、ハウジングとカバーを固定することが可能な移動物体検出装置を提供する。【解決手段】  収納部２を備えたハウジング３と、収納部３を覆うカバー４とを備え、収納部３に被検出体の移動を検出する検出手段５を配設した移動物体検出装置１において、カバー４は、収納部２を覆う天板部４ａと、天板部４ａから収納部２方向に伸びるとともに収納部２内に入り込む突部４ｃとを備え、収納部２内に充填されるとともに検出手段５を保護する充填部材１３を備え、突部４ｃを充填部材１３に埋没させてハウジング３にカバー４を接着固定したものである。【選択図】  図１
2011133280.tif 000002
【特許請求の範囲】
【請求項１】
収納部を備えたハウジングと、前記収納部を覆うカバーとを備え、前記収納部に被検出体の移動を検出する検出手段を配設した移動物体検出装置において、前記カバーは、前記収納部を覆う天板部と、前記天板部から前記収納部方向に伸びるとともに前記収納部内に入り込む突部とを備え、前記収納部内に充填されるとともに前記検出手段を保護する充填部材を備え、前記突部を前記充填部材に埋没させて前記ハウジングに前記カバーを接着固定したことを特徴とする移動物体検出装置。
【請求項２】
前記突部を前記天板部の全周に設けたことを特徴とする請求項１に記載の移動物体検出装置。
【請求項３】
前記突部の表面に凹凸を設けたことを特徴とする請求項１または２に記載の移動物体検出装置。
【発明の詳細な説明】
【技術分野】
【０００１】
本発明は、被検出体（歯車等）の移動を検出する移動物体検出装置に関するものである。
【背景技術】
【０００２】
従来、移動物体検出装置が種々提案されており、例えば特許文献１に開示されている。斯かる移動物体検出装置は、磁気変化を検出するセンシング部を備える検出部と、外部引出し用の端子を有するコネクタ部とが一体的に樹脂によって成型されたモールド成型体とを有するものである。
【０００３】
この移動物体検出装置は、センシング部の露出された箇所を金属製のカバーで覆い、このカバーを加締め加工を施すことによって、カバーをセンサ本体に固定する構造となっている。
【０００４】
しかしながら、このような移動物体検出装置は、カバーの加締め加工が必要となり、製造工程を複雑であるだけでなく、製造コストが高いという問題を有していた。
【０００５】
この問題点を解決するものとして特許文献２に開示される移動物体検出装置が提案されている。
【０００６】
この移動物体検出装置は、円筒状のハウジングと、前記ハウジングの開口を蓋する円柱状のカバーとを備え、磁石と磁気検出素子とを前記ハウジング内に配置し、前記ハウジングの円筒内周面と前記カバーの円柱外周面の所定部分が、レーザ溶着されてなるものであった。
【先行技術文献】
【特許文献】
【０００７】
【特許文献１】特開平１１−３２５９６１号公報
【特許文献２】特開２００６−２７５６３９号公報
【発明の概要】
【発明が解決しようとする課題】
【０００８】
しかしながら、このような移動物体検出装置は、前記ハウジングと前記カバーとを、レーザ溶着するものであるため、レーザ溶着装置を導入しなければならず、製造コストの上昇を伴うものであった。また、少量生産の場合、特に、製造コストの増加を招くおそれがあった。
【０００９】
そこで、本発明は、前述した問題点に着目し、レーザ溶着装置を用いることなく、ハウジングとカバーを固定することが可能な移動物体検出装置を提供するものである。
【課題を解決するための手段】
【００１０】
本発明は前記目的を達成するため、収納部を備えたハウジングと、前記収納部を覆うカバーとを備え、前記収納部に被検出体の移動を検出する検出手段を配設した移動物体検出装置において、前記カバーは、前記収納部を覆う天板部と、前記天板部から前記収納部方向に伸びるとともに前記収納部内に入り込む突部とを備え、前記収納部内に充填されるとともに前記検出手段を保護する充填部材を備え、前記突部を前記充填部材に埋没させて前記ハウジングに前記カバーを接着固定したものである。
【００１１】
また、前記突部を前記天板部の全周に設けたものである。
【００１２】
また、前記突部の表面に凹凸を設けたものである。
【発明の効果】
【００１３】
本発明によれば、所期の目的を達成でき、レーザ溶着装置を用いることなく、ハウジングとカバーを固定することが可能な移動物体検出装置を提供することができる。
【図面の簡単な説明】
【００１４】
【図１】本発明の第１実施形態の移動物体検出装置の断面図。
【発明を実施するための形態】
【００１５】
本発明の第１実施形態の移動物体検出装置１は、収納部２を備えたハウジング３と、収納部２を覆うカバー４とを備え、収納部２に被検出体の移動を検出する検出手段５を配設したものである。
【００１６】
ハウジング３は、合成樹脂からなり、外部引出し用の端子６を有するコネクタ部７を一体的に成型した構造体である。ハウジング３のコネクタ部７の反対側は、円柱形状であり、この円柱形状の端部３ａに凹部からなる収納部２を備えている。この収納部２に検出手段５が固定されている。また、ハウジング３は、端部３ａで収納部２の周囲に、カバー４の後述する天板部と接する壁部８を備えている。この壁部８は、環状で切れ目なく形成されている。
【００１７】
収納部２内には、充填部材１３が充填されており、検出手段５等を保護している。充填部材１３は、熱硬化性のエポキシ樹脂やシリコーン樹脂であり、収納部２内に充填する時には、流動性があり、充填完了後、熱を加えて硬化させる。
【００１８】
ハウジング３の外周面３ｂには、二つの環状の溝部９、１０が形成されている。一方の溝部９は、円柱形状のハウジング３の外周面３ｂの収納部２（あるいは、壁部８）の近傍に、他方の溝部１０は、ハウジング３の中程に、それぞれ設けられている。そして、各々の溝部９、１０には、封止部材であるＯリング１１、１２が装着されている。
【００１９】
カバー４は、合成樹脂からなる成型された構造体である。本実施形態では、カバー４は、カップ形状であり、円盤形状の天板部４ａと、この天板部４ａから連続した円筒形状の周壁部４ｂと、天板部４ａから収納部２方向に伸びる突部４ｃとを備えている。本実施形態では、突部４ｃは、切れ目のある円筒形状である。カバー４は、天板部４ａが、収納部２を覆い、周壁部４ｂが、ハウジング３の円柱形状の外周面３ｂの一部を覆い、突部４ｃが、収納部２内に入り込み、さらに充填部材１３内に埋没するものである。突部４ｃの外側は、ハウジング３の壁部８の内面と接しており、カバー４をハウジング３に取り付ける時に、位置決めの機能を果たしている。なお、周壁部４ｂは、Ｏリング１１を設けた溝部９を覆ってもいる。
【００２０】
検出手段５は、センシング部１４、回路基板５ａ及び回路素子５ｂから構成されている。センシング部１４は、ホールＩＣ１４ａと磁石１４ｂとからなり、被検出体の回転を検出する。ホールＩＣ１４ａは、回路基板５ａの図１中下面に搭載され、カバー４に近接した状態にて配置される。ホールＩＣ１４ａは、被検出体の回転に伴う磁力の変化を電気信号に変換し、端子６の一端部６ａを介して外部に出力する。磁石１４ｂは、回路基板５ａの図１中上面に接着剤にて固定され、ホールＩＣ１４ａに磁場を与えるものである。検出手段５は、収納部２内の充填部材１３内に埋設されており、固定保持されるとともに、気密性を確保されているので、耐振、耐寒、耐熱、耐水などの耐久性が向上する。なお、検出手段５は、充填部材１３で保護されているので、Ｏリング１１と溝部９を廃止し、コストを削減することも可能である。
【００２１】
端子６は、屈曲形成された３本のリードフレームからなり、端子６の他端部６ｂは半田によって回路基板５ａと電気的に接続されている。コネクタ部７は、検出手段５からの出力を外部機器へ接続伝達するものである。
【００２２】
以上の構成によって、カバー４は、突部４ｃを充填部材１３に埋没させ、充填部材１３が硬化することによって、ハウジング３に接着固定されている。よって、レーザ溶着装置を用いることなく、カバー４をハウジング３に固定することが可能な移動物体検出装置を提供することができる。
【００２３】
なお、突部４ｃは、切れ目のある円筒形であったが、本実施形態に限定されるものではなく、例えば、切れ目のない円筒形であってもよい。また、突部４ｃは、円筒形である必要はなく、充填部材１３との接触面積を確保し、カバー４をハウジング３に確実に固定できるものであり、また、ハウジング３の壁部８と接する位置決めの機能を果たすものであれば、任意の形状でよい。
【００２４】
また、突部４ｃと充填部材１３との接触面積を増やすために、突部４ｃの表面に凹凸を設けてもよい。さらに、凹凸の大きさを微細にすることで金型から離型しにくくなることを抑えながら、かつ、接触面積を増加することができる。
【００２５】
また、本実施形態では、カバー４は、周壁部４ｂを備えたカップ形状であったが、本実施形態に限定されるものではなく、周壁部４ｂを備えていない天板部４ａと突部４ｃのみの構成であってもよい。
【産業上の利用可能性】
【００２６】
本発明は、検出手段をハウジングとカバーで収納した移動物体検出装置に利用可能である。
【符号の説明】
【００２７】
１    移動物体検出装置
２    収納部
３    ハウジング
４    カバー
４ａ  天板部
４ｃ  突部
５    検出手段
１３    充填部材
【図１】
2011133280.tif 000003